(57)【特許請求の範囲】
【請求項１】
遮蔽部材が設けられる枠体に設けられるガイドレールであって、
前記遮蔽部材と前記枠体との隙間を遮蔽する第１遮蔽部、及び、前記枠体へ取り付けられる第１取り付け部を備え、前記第１遮蔽部が前記第１取り付け部に対し移動不能に接続された非移動部と、
前記遮蔽部材と前記枠体との隙間を遮蔽する第２遮蔽部、及び、前記枠体へ取り付けられる第２取り付け部を備え、前記第２遮蔽部が前記第２取り付け部に対し移動可能に接続された第１移動部と、
を有し、
一端から所定長さ分を前記非移動部で構成し、前記非移動部以外の部分を前記第１移動部で構成した
ことを特徴とするガイドレール。
【請求項２】
前記第１遮蔽部は、
その幅方向が前記第１取り付け部の幅方向と略垂直となるように、前記第１取り付け部に接続され、
前記第２遮蔽部は、
前記隙間の遮蔽を行う際には、その幅方向が前記第２取り付け部の幅方向と略垂直な遮蔽状態となり、遮蔽を行わない際には、その幅方向が前記第２取り付け部の幅方向と略平行な非遮蔽状態となるように、前記第２取り付け部に接続される
ことを特徴とする請求項１記載のガイドレール。
【請求項３】
前記枠体の上枠部側から垂下する前記遮蔽部材の水平方向端部をガイドする縦ガイド部を有し、
前記縦ガイド部は、
上端から前記所定長さ分を前記非移動部で構成し、前記非移動部の下方を前記第１移動部で構成した
ことを特徴とする請求項２記載のガイドレール。
【請求項４】
前記非移動部は、
上限位置まで引き上げられた状態にある前記遮蔽部材の高さ方向寸法と略同等の、前記所定長さを有する
ことを特徴とする請求項３記載のガイドレール。
【請求項５】
前記第２遮蔽部は、
前記第２取り付け部の幅方向端部側において、当該第２取り付け部に対し回動可能に連結されている
ことを特徴とする請求項２乃至請求項４のいずれか１項記載のガイドレール。
【請求項６】
前記第２遮蔽部は、
前記遮蔽状態において、前記第２取り付け部に対し当該第２取り付け部側に回動することで、前記非遮蔽状態となる
ことを特徴とする請求項５記載のガイドレール。
【請求項７】
前記第２遮蔽部及び前記第２取り付け部の少なくとも一方は、
前記第２遮蔽部を前記非遮蔽状態で係止する係止部を備える
ことを特徴とする請求項５又は請求項６記載のガイドレール。
【請求項８】
前記第１遮蔽部及び前記第２遮蔽部の少なくとも一方は、
それら第１遮蔽部と第２遮蔽部との間の接続部を覆うための蓋部を備える
ことを特徴とする請求項５乃至請求項７のいずれか１項に記載のガイドレール。
【請求項９】
前記第１移動部は、
前記第２遮蔽部を、前記遮蔽部材の上下方向の垂下長の変化に伴う当該遮蔽部材の前後方向の移動範囲を挟む並列な配置で２つ備え、
２つの前記第２遮蔽部は同じ方向へ回動可能に設けられている
ことを特徴とする請求項５乃至請求項８のいずれか１項記載のガイドレール。
【請求項１０】
前記第１移動部は、
前記第２遮蔽部に設けた遮蔽部側ヒンジ片部と、前記第２取り付け部に設けた取付部側ヒンジ片部と、前記遮蔽部側ヒンジ片部と前記取付部側ヒンジ片部を貫通するピンとを有するヒンジ機構で前記第２遮蔽部と前記第２取り付け部を相互に回動可能に連結し、
前記遮蔽部側ヒンジ片部の下端の端面と、前記取付部側ヒンジ片部の上端の端面がそれぞれ前記ピンの軸方向に対して所定の傾斜角で形成されている
ことを特徴とする請求項５乃至請求項９のいずれか１項記載のガイドレール。
【請求項１１】
遮蔽部材が設けられる枠体に設けられるガイドレールであって、
前記遮蔽部材と前記枠体との隙間を遮蔽する第３遮蔽部、及び、前記枠体へ取り付けられる第３取り付け部を備え、前記第３遮蔽部が前記第３取り付け部に対し移動可能に接続された第２移動部を有し、
前記第３遮蔽部は、
前記隙間の遮蔽を行う際には、その幅方向が前記第３取り付け部の幅方向と略垂直な遮蔽状態となり、遮蔽を行わない際には、その幅方向が前記第３取り付け部の幅方向と略平行な非遮蔽状態となるように、前記第３取り付け部に接続され、
前記遮蔽状態において、前記第３取り付け部に対し近接するように移動することで、前記非遮蔽状態となる
ことを特徴とするガイドレール。
【発明の詳細な説明】
【技術分野】
【０００１】
本発明は、遮蔽部材が設けられる枠体に設けられるガイドレールに関する。
【背景技術】
【０００２】
従来、遮蔽部材が設けられる枠体に設けられるガイドレールに関する技術が開示されている。例えば、特許文献１には、遮蔽部材（スラット）の両端にガイドローラを設けるとともに、枠体（額縁）にガイドローラが摺動自在に嵌合するガイドレールと遮蔽部材の両端部をのみ込む遮蔽部（スラットのみ込み部）とを有する縦フレームを設置した、ブラインド構造が開示されている。
【先行技術文献】
【特許文献】
【０００３】
【特許文献１】実開平６−８６９４号公報
【発明の概要】
【発明が解決しようとする課題】
【０００４】
上記従来技術では、遮蔽部材により日射や視線等の遮蔽を行うときに、遮蔽部材と枠体との隙間を、遮蔽部により遮蔽することができるので、上記隙間からの日射や視線等を遮蔽することができる。
【０００５】
ところで、遮蔽部材を収納方向に動かして枠体内側を開放するときに、遮蔽部を、遮蔽を行わない状態となるように動かすことができれば、枠体内側の開放スペースをより大きくすることができる。しかし、上記従来技術では、遮蔽部を、遮蔽を行わない状態となるように動かすことができるようにして、枠体内側の開放スペースをより大きくし、日射を多く取り込むようなことについては、特に考慮されていなかった。
【０００６】
本発明の目的は、枠体内側の開放スペースをより大きくすることができるガイドレールを提供することにある。
【課題を解決するための手段】
【０００７】
上記目的を達成するために、本発明は、遮蔽部材が設けられる枠体に設けられるガイドレールであって、前記遮蔽部材と前記枠体との隙間を遮蔽する第１遮蔽部、及び、前記枠体へ取り付けられる第１取り付け部を備え、前記第１遮蔽部が前記第１取り付け部に対し移動不能に接続された非移動部と、前記遮蔽部材と前記枠体との隙間を遮蔽する第２遮蔽部、及び、前記枠体へ取り付けられる第２取り付け部を備え、前記第２遮蔽部が前記第２取り付け部に対し移動可能に接続された第１移動部と、を有し、一端から所定長さ分を前記非移動部で構成し、前記非移動部以外の部分を前記第１移動部で構成したことを特徴とする。
【０００８】
また、上記目的を達成するために、本発明は、遮蔽部材が設けられる枠体に設けられるガイドレールであって、前記遮蔽部材と前記枠体との隙間を遮蔽する第３遮蔽部、及び、前記枠体へ取り付けられる第３取り付け部を備え、前記第３遮蔽部が前記第３取り付け部に対し移動可能に接続された第２移動部を有し、前記第３遮蔽部は、前記隙間の遮蔽を行う際には、その幅方向が前記第３取り付け部の幅方向と略垂直な遮蔽状態となり、遮蔽を行わない際には、その幅方向が前記第３取り付け部の幅方向と略平行な非遮蔽状態となるように、前記第３取り付け部に接続され、前記遮蔽状態において、前記第３取り付け部に対し近接するように移動することで、前記非遮蔽状態となることを特徴とする。
【０００９】
また、上記目的を達成するために、本発明は、遮蔽部材が設けられる枠体に設けられるガイドレールであって、前記遮蔽部材と前記枠体との隙間を遮蔽する第２遮蔽部、及び、前記枠体へ取り付けられる第２取り付け部を備え、前記第２遮蔽部が前記第２取り付け部に対し移動可能に接続された第１移動部、を有し、前記第１移動部は、前記第２遮蔽部に設けた遮蔽部側ヒンジ片部と、前記第２取り付け部に設けた取付部側ヒンジ片部と、前記遮蔽部側ヒンジ片部と前記取付部側ヒンジ片部を貫通するピンとを有するヒンジ機構で前記第２遮蔽部と前記第２取り付け部を相互に回動可能に連結し、前記遮蔽部側ヒンジ片部の下端の端面と、前記取付部側ヒンジ片部の上端の端面がそれぞれ前記ピンの軸方向に対して所定の傾斜角で形成されていることを特徴とする。
【発明の効果】
【００１０】
本発明によれば、枠体内側の開放スペースをより大きくすることができる。
【図面の簡単な説明】
【００１１】
【図１】本発明の一実施形態に係る横型ブラインド及びガイドレールの構成の概略を表す模式図であり、（ａ）は、スラットが下縁部近傍まで降ろされ、遮蔽部が遮蔽状態とされた状況に対応し、（ｂ）は、スラットが畳み込み状態とされ、遮蔽部が非遮蔽状態とされた状況に対応する。
【図２】右縁部に設置される縦ガイド部の非移動部及び移動部の構成を表す斜視図であり、遮蔽部が遮蔽状態とされた状況に対応する。
【図３】右縁部に設置される縦ガイド部の非開閉部及び開閉部の構成を表す斜視図であり、遮蔽部が非遮蔽状態とされた状況に対応する。
【図４】図１（ａ）中のＡ−Ａ′断面による横断面図である。
【図５】図１（ｂ）中のＢ−Ｂ′断面による横断面図である。
【図６】ヒンジ機構について説明するための模式図であり、（ａ）は、遮蔽部と取り付け部とが連結される前の状態に対応し、（ｂ）は、遮蔽部と取り付け部とが連結された後の状態に対応する。
【図７】図６（ａ）中のＣ−Ｃ′断面による横断面図である。
【図８】図６（ａ）中のＤ−Ｄ′断面による横断面図である。
【図９】図６（ｂ）中のＥ−Ｅ′断面による横断面図である。
【図１０】遮蔽部に遮光板取り付け部を設ける変形例における、図１（ａ）中のＡ−Ａ′部分に対応する断面による横断面図である。
【図１１】遮蔽部と取り付け部とをリンク機構で連結する変形例における、リンク機構について説明するための模式図であり、（ａ）は、遮蔽部が遮蔽状態とされた状況に対応し、（ｂ）は、遮蔽部が遮蔽状態と非遮蔽状態との間の状態とされた状況に対応し、（ｃ）は、遮蔽部が非遮蔽状態とされた状況に対応する。
【図１２】遮蔽部と取り付け部とを伸縮機構で接続する変形例における、伸縮機構について説明するための模式図であり、（ａ）は、遮蔽部が遮蔽状態とされた状況に対応し、（ｂ）は、遮蔽部が非遮蔽状態とされた状況に対応する。
【図１３】取り付け部に対し２つの遮蔽部を回動可能に連結する変形例における、移動部の横断面図である。
【図１４】取り付け部に対し２つの遮蔽部を回動可能に連結する変形例における、他の例を表す、移動部の模式図である。
【図１５】ガイドレールを下縁部に設置する変形例における、ガイドレールの構成の概略を表す模式図であり、（ａ）は、スラットが下縁部近傍まで降ろされ、遮蔽部が遮蔽状態とされた状況に対応し、（ｂ）は、スラットが畳み込み状態とされ、遮蔽部が非遮蔽状態とされた状況に対応する。
【図１６】ガイドレールを左端部、右端部、下縁部に設置する変形例における、ガイドレールの構成の概略を表す模式図であり、（ａ）は、スラットが下縁部近傍まで降ろされ、遮蔽部が遮蔽状態とされた状況に対応し、（ｂ）は、スラットが畳み込み状態とされ、遮蔽部が非遮蔽状態とされた状況に対応する。
【図１７】２つの遮蔽部を近接させ、かつ一方の自動回動可能に設けた変形例における、左縁部に設置される縦ガイド部の移動部の構成を表す斜視図であり、２つの遮蔽部がともに遮蔽状態とされた状況に対応する。
【図１８】２つの遮蔽部を近接させ、かつ一方の自動回動可能に設けた変形例における、左縁部に設置される縦ガイド部の移動部の構成を表す斜視図であり、前方側の遮蔽部が非遮蔽状態とされた状況に対応する。
【図１９】２つの遮蔽部を近接させ、かつ一方の自動回動可能に設けた変形例における、断面による横断面図であり、（ａ）は図１７中のＦ−Ｆ′部分に対応し、（ｂ）は図８中のＧ−Ｇ′部分に対応する。
【図２０】２つの遮蔽部を近接させ、かつ一方の自動回動可能に設けた変形例における、遮蔽部側ヒンジ片部に対する取付部側ヒンジ片部の支持状態を表す正面図であり、（ａ）は遮蔽部が遮蔽状態に対応し、（ｂ）は遮蔽部が非遮蔽部に対応する。
【図２１】２つの遮蔽部を近接させ、かつ一方の自動回動可能に設け、遮蔽部側ヒンジ片部と取付部側ヒンジ片部のそれぞれの支持端面を螺旋状の曲面で形成した変形例における、遮蔽部側ヒンジ片部に対する取付部側ヒンジ片部の支持状態を表す正面図である。
【発明を実施するための形態】
【００１２】
ここで、本発明のガイドレールは、横型ブラインドや縦型ブラインド、ロールスクリーン、プリーツスクリーン、たくし上げカーテン等、様々なタイプの遮蔽装置に使用可能である。但し、以下では、本発明のガイドレールを横型ブラインドに使用した場合について説明する。
【００１３】
以下、本発明の一実施形態について図面を参照しつつ説明する。なお、図面中に注記された「前」「後」「左」「右」「上」「下」の方向は、本明細書中の説明において「前」「後」「左」「右」「上」「下」と記述される方向にそれぞれ対応する。但し、本実施形態に係る横型ブラインド及びガイドレールの各構成の位置関係は、「前」「後」「左」「右」「上」「下」の概念に限定されるものではない。
【００１４】
まず、図１を参照しつつ、本実施形態に係る横型ブラインド及びガイドレールの構成の概略について説明する。
【００１５】
図１（ａ）（ｂ）に示すように、窓ガラス１０を備えたサッシ（図示せず）の室内側に設けられた四角枠状の額縁１１（枠体）には、横型ブラインド１とガイドレール２０とが設置されている。なお、四角枠状以外の形状（例えば丸枠状）の額縁に対し、横型ブラインドとガイドレールとを設置してもよい。
【００１６】
＜横型ブラインドの構成＞
横型ブラインド１は、額縁１１の上辺を構成する上縁部１１ａ（上枠部）の内面に対しブラケット（図示せず）を介して取り付けられるヘッドボックス２を有する。
【００１７】
ヘッドボックス２の長さ方向複数箇所（図示の例では２箇所）からは、ラダーコード３がそれぞれ吊り下げられている。各ラダーコード３は、ヘッドボックス２の下側から垂下可能で、かつ左右方向（水平方向）を回転軸心として回転可能な、複数段のスラット４（遮蔽部材）を支持している。各スラット４は、遮光性を備えた遮光材料（例えばアルミニウム等の金属）で構成されている。なお、各スラット４は、遮光性が低い材料（例えばプラスチック等の樹脂）で構成されてもよい。また、各ラダーコード３の下端には、ボトムレール５が連結され、各ラダーコード３の上端部は、ヘッドボックス２内において、回転可能に支持された駆動軸（図示せず）に連結されている。
【００１８】
また、ヘッドボックス２の一端（図示の例では左端）からは、上記駆動軸に連結された、操作者が回転操作可能な操作ポール６が垂下されている。操作ポール６は、スラット４の角度調節（開閉）を行うためのポールである。
【００１９】
操作者が操作ポール６を回転操作して駆動軸を回転させると、駆動軸の回転によりラダーコード３を介して各スラット４が左右方向を回転軸心として回転し、スラット４の角度が変動する。
【００２０】
また、ヘッドボックス２における複数のラダーコード３の吊下位置近傍からは、昇降コード（図示せず）がそれぞれ吊り下げられている。各昇降コードは、各スラット４のラダーコード３による支持位置近傍に形成された挿通孔（図示せず）を挿通して、下端がボトムレール５に連結されている。また、各昇降コードの上端は、ヘッドボックス２内をその一端側に案内され、ヘッドボックス２の一端に設けられたストッパ装置９を介してヘッドボックス２から垂下されている。ヘッドボックス２から垂下された各昇降コードには、コードイコライザ８を介して、操作者が操作可能な操作コード７が連結されている。操作コード７は、スラット４の引き上げ（上昇）及び降下を行うためのコードである。
【００２１】
操作者が操作コード７を操作して昇降コードをヘッドボックス２から引き出すと、ボトムレール５が引き上げられ、下段のスラット４から順次引き上げられる。また、操作者が操作コード７を操作してボトムレール５及びスラット４の重量に基づき昇降コードをヘッドボックス２内に引き込ませると、ボトムレール５が降下し、上段のスラット４から順次ラダーコード３に支持される状態に復帰する。また、操作者が操作コード７を手放すと、ストッパ装置９が作動し、ボトムレール５の自重降下が阻止され、スラット４が所望高さに吊下支持される。
【００２２】
なお、上記で説明した横型ブラインド１の構成は、あくまで一例であり、上記以外の構成であってもよい。例えば、上記では、横型ブラインド１の操作方式を、スラット４の角度調整を操作ポール６により行い、スラット４の昇降を操作コード７により行う、いわゆる「ポール式」としたが、横型ブラインド１の操作方式は、ポール式に限定されるものではなく、他の方式であってもよい。
【００２３】
＜ガイドレールの構成＞
ガイドレール２０は、上記横型ブラインド１のスラット４の端部をガイド可能なレールである。本実施形態では、ガイドレール２０は、スラット４の左右方向端部をガイド可能な２つの縦ガイド部２１，２１により構成されている。一方の縦ガイド部２１は、額縁１１の左辺を構成する左縁部１１ｂに設置され、スラット４の左端部をガイド可能となっており、他方の縦ガイド部２１は、額縁１１の右辺を構成する右縁部１１ｃに設置され、スラット４の右端部をガイド可能となっている。
【００２４】
なお、左縁部１１ｂ及び右縁部１１ｃのいずれか一方のみに対し縦ガイド部２１を設置してもよい（この場合、左縁部１１ｂ及び右縁部１１ｃのいずれか一方に設置した縦ガイド部２１により、ガイドレールが構成される）。若しくは、縦ガイド部２１を設置する代わりに、額縁１１の下辺を構成する下縁部１１ｄに対し横ガイド部を設置してもよい（この場合、横ガイド部によりガイドレールが構成される）。若しくは、縦ガイド部２１を設置するのに加えて、下縁部１１ｄに対し横ガイド部を設置してもよい（この場合、縦ガイド部２１及び横ガイド部により、ガイドレールが構成される）。
【００２５】
各縦ガイド部２１は、非移動部２２と移動部２３（第１移動部、第２移動部）とを有し、上端（一端）から所定長さ分が非移動部２２により構成され、非移動部２２の下方（非移動部以外の部分）が移動部２３により構成されている。すなわち、非移動部２２は、対応する縁部（左縁部１１ｂに設置される縦ガイド部２１では左縁部１１ｂ。右縁部１１ｃに設置される縦ガイド部２１では右縁部１１ｃ）のうち上端から所定長さ分に配置され、移動部２３は、対応する縁部のうち非移動部２２の下方に配置される。
【００２６】
本実施形態では、上記所定長さ、つまり非移動部２２の長さは、図１（ｂ）に示すような上限位置まで引き上げられて畳み込まれた状態（以下適宜「畳み込み状態」という。）にある複数段のスラット４の高さ方向寸法（詳細には、畳み込み状態にある複数段のスラット４の高さ方向寸法と、その上端及び下端のヘッドボックス２及びボトムレール５との高さ方向寸法との合計寸法）、言い換えれば複数段のスラット４の畳み代の長さと略同等となっている。なお、以下適宜、スラット４、ヘッドボックス２、及びボトムレール５を総称して、「スラット４等」という。すなわち、非移動部２２は、対応する縁部のうち上端から上記畳み代の長さ分（複数段のスラット４が畳み込み状態にある状況でもスラット４等がある部分）に配置され、移動部２３は、対応する縁部のうち非移動部２２の下方（複数段のスラット４が畳み込み状態にある状況ではスラット４等がない部分）に配置される。なお、上記所定長さ（非移動部２２の長さ）を、上記畳み代の長さよりも短くしたり長くしてもよい。
【００２７】
各非移動部２２は、取り付け部２４（第１取り付け部）と、取り付け部２４に対し移動不能に接続された１つの遮蔽部２５（第１遮蔽部）とを有する。
【００２８】
取り付け部２４は、対応する縁部の内面のうち上端から上記畳み代の長さ分に取り付けられる。遮蔽部２５は、複数段のスラット４のうち取り付け部２４に対向配置されるスラット４の左右方向端部と、対応する縁部の内面のうち取り付け部２４が取り付けられる部分との隙間Ｓ１を、遮蔽可能となっている。本実施形態では、取り付け部２４は、遮蔽部２５がスラット４と窓ガラス１０との間（スラット４よりも室外側）において隙間Ｓ１を遮蔽可能となるように、取り付けられる。なお、取り付け部２４を、遮蔽部２５がスラット４の窓ガラス１０とは反対側（スラット４よりも室内側）において隙間Ｓ１を遮蔽可能となるように、取り付けてもよい。
【００２９】
各移動部２３は、取り付け部２６（第２取り付け部、第３取り付け部）と、取り付け部２６に対し移動可能に接続された１つの遮蔽部２７（第２遮蔽部、第３遮蔽部）とを有する。
【００３０】
取り付け部２６は、対応する縁部の内面のうち上記非移動部２２の取り付け部２４の下方に取り付けられる。遮蔽部２７は、複数段のスラット４のうち取り付け部２６に対向配置されるスラット４の左右方向端部と、対応する縁部の内面のうち取り付け部２６が取り付けられる部分との隙間Ｓ２を、遮蔽可能となっている。すなわち、遮蔽部２７は、上記隙間Ｓ２の遮蔽を行う際には、後述の遮蔽状態（図１（ａ）の状態）となり、遮蔽を行わない際には、後述の非遮蔽状態（図１（ｂ）の状態）となるように、取り付け部２６に接続されている。本実施形態では、取り付け部２６は、遮蔽状態にある遮蔽部２７がスラット４と窓ガラス１０との間（スラット４よりも室外側）において隙間Ｓ２を遮蔽可能となるように、取り付けられる。なお、取り付け部２６を、遮蔽状態にある遮蔽部２７がスラット４の窓ガラス１０とは反対側（スラット４よりも室内側）において隙間Ｓ２を遮蔽可能となるように、取り付けてもよい。
【００３１】
次に、図２〜図９を参照しつつ、縦ガイド部２１の非移動部２２及び移動部２３の構成について詳細に説明する。なお、図２及び図３中では、構造を見やすくするために、縦ガイド部２１の移動部２３の長さを上下方向に短縮して（移動部２３の下部側を省略して）図示している。
【００３２】
ここで、本実施形態では、左縁部１１ｂに設置される縦ガイド部２１と右縁部１１ｃに設置される縦ガイド部２１とは、左右対称の構造となっている。以下では、右縁部１１ｃに設置される縦ガイド部２１の非移動部２２及び移動部２３の構成を代表に説明する。なお、以下の説明において、単に非移動部２２や移動部２３等という場合は、右縁部１１ｃに設置される縦ガイド部２１の非移動部２２や移動部２３等を指しているものとする。左縁部１１ｂに設置される縦ガイド部２１の非移動部２２及び移動部２３の構成は、以下で説明する右縁部１１ｃに設置される縦ガイド部２１の非移動部２２及び移動部２３の構成を左右対称とした構成であるので、説明を省略する。
【００３３】
なお、左縁部１１ｂに設置される縦ガイド部と右縁部１１ｃに設置される縦ガイド部とを同一の構造（共通の製品）とし、これら２つの縦ガイド部を左右対称の向きで左縁部１１ｂ及び右縁部１１ｃにそれぞれ配置してもよい。
【００３４】
＜非移動部の構成＞
図２及び図３に示すように、非移動部２２は、矩形薄板状の上記取り付け部２４と、矩形薄板状の上記遮蔽部２５とを有する。
【００３５】
取り付け部２４と遮蔽部２５とは、遮光性を備えた遮光材料（例えばアルミニウム等の金属）で一体（１つの部材）として構成されている。なお、取り付け部２４と遮蔽部２５とを、遮光性が低い材料（例えばプラスチック等の樹脂）で一体として構成してもよい。この場合、遮蔽部２５の表面又は内部に遮光性を備えた部材（遮光板等）を取り付けて、遮蔽部２５における遮光性を向上させることが好ましい。若しくは、取り付け部２４と遮蔽部２５とを、別体（別々の部材）として構成してもよい。この場合、遮蔽部２５を遮光材料で構成して、遮蔽部２５における遮光性を確保させるか、遮蔽部２５の表面又は内部に遮光性を備えた部材（遮蔽板等）を取り付けて、遮蔽部２５における遮光性を向上させることが好ましい。
【００３６】
取り付け部２４の左面（スラット４の右端部と対向する側の面）には、当該取り付け部２４の厚み方向に凹み、上下方向に沿って所定幅を備えた溝部２４１が設けられている。溝部２４１の底面には、取り付け用のねじ（図示せず）が貫通する貫通孔（図示せず）が設けられている。この際、溝部２４１を、後述のように右縁部１１ｃに螺合した取り付け用のねじの頭部を取り付け部２４の左面から突出しないように内部に収納可能なように、構成してもよい。また、取り付け部２４の左面に溝部２４１を設けず、当該左面に貫通孔を設けてもよい。そして、取り付け用のねじが貫通孔を貫通して右縁部１１ｃに螺合することで、取り付け部２４が右縁部１１ｃの内面のうち上端から上記畳み代の長さ分に取り付けられる。なお、取り付け部２４を、ねじ以外の固定部材（例えば接着剤等）を用いて取り付けてもよい（この場合、上記貫通孔を省略してもよい）。
【００３７】
遮蔽部２５は、その幅方向が取り付け部２４の幅方向と略垂直となるように、取り付け部２４の後端部（幅方向端部）側において、当該取り付け部２４に対し移動不能に連接されている。したがって、非移動部２２は、全体として平面視略Ｌ字状となっている。
【００３８】
また、遮蔽部２５には、当該遮蔽部２５と、非移動部２２の下方に配置された移動部２３において後述の遮蔽状態（図２の状態）にある遮蔽部２７との間の接続部２８を覆うための蓋部２５１が設けられている。蓋部２５１は、遮蔽部２５の下端部の後側から下方に向けて突出した庇部として形成されている。そして、蓋部２５１は、その前側に遮蔽部２７の上端部が接触又は近接されることで、接続部２８を覆って、当該接続部２８における遮蔽を行うことが可能である。なお、蓋部２５１は、上記のような遮蔽部２５の下端部の後側から下方に向けて突出した庇部に限定されるものではなく、接続部２８を覆うことが可能なものであれば、どのようなものであってもよい。また、接続部２８を覆うための蓋部を、遮蔽部２５に代えて又は加えて、移動部２３の遮蔽部２７に設けてもよい。
【００３９】
なお、上記で説明した非移動部２２の構成は、あくまで一例であり、上記以外の構成であってもよい。
【００４０】
＜移動部の構成＞
図２〜図９に示すように、移動部２３は、矩形薄板状の上記取り付け部２６と、矩形薄板状の上記遮蔽部２７とを有する。
【００４１】
取り付け部２６と遮蔽部２７とは、別体として構成されている。そして、遮蔽部２７は、遮光性を備えた遮光材料（例えばアルミニウム等の金属）で構成されている。なお、遮蔽部２７を、遮光性が低い材料（例えばプラスチック等の樹脂）で構成してもよい。この場合、遮蔽部２７の表面又は内部に遮光性を備えた部材（遮光板等）を取り付けて、遮蔽部２７における遮光性を向上させることが好ましい。
【００４２】
取り付け部２６の左面（スラット４の右端部と対向する側の面）には、上記溝部２４１と同様に構成された溝部２６１が設けられている。なお、取り付け部２６の左面に溝部２６１を設けず、当該左面に貫通孔を設けてもよい。そして、取り付け用のねじ２９が溝部２６１の底面の貫通孔（図示せず）を貫通して右縁部１１ｃに螺合することで、取り付け部２６が右縁部１１ｃの内面のうち上記非移動部２２の取り付け部２４の下方に取り付けられる。このとき、右縁部１１ｃに螺合したねじ２９の頭部は、取り付け部２６の左面から突出せずに溝部２６１の内部に収納された状態となる（図４及び図５参照）。なお、取り付け部２６を、ねじ２９以外の固定部材（例えば接着剤等）を用いて取り付けてもよい（この場合、上記貫通孔を省略してもよい）。
【００４３】
遮蔽部２７は、上記隙間Ｓ２の遮蔽を行う際には、その幅方向が取り付け部２６の幅方向と略垂直な遮蔽状態（図１（ａ）、図２、図４の状態）となり、遮蔽を行わない際には、その幅方向が取り付け部２６の幅方向と略平行な非遮蔽状態（図１（ｂ）、図３、図５の状態）となるように、取り付け部２６の後端部（幅方向端部）側において、当該取り付け部２６に対し移動可能に連結されている。したがって、移動部２３は、遮蔽部２７が遮蔽状態にあるときには、全体として平面視略Ｌ字状となる。
【００４４】
本実施形態では、遮蔽部２７は、取り付け部２６の後端部側において、当該取り付け部２６に対し回動可能に連結されている。具体的には、遮蔽部２７は、遮蔽状態において、取り付け部２６に対し近接するように前側（取り付け部２６側）に回動することで、非遮蔽状態となり、非遮蔽状態において、取り付け部２６に対し離反するように左側に回動することで、遮蔽状態となるように、取り付け部２６に連結されている。このため、遮蔽部２７における遮蔽状態は、遮蔽部２７が開いた状態（展開された状態）とも言え、遮蔽部２７における非遮蔽状態は、遮蔽部２７が閉じた状態（折り畳まれた状態）とも言える。この例では、遮蔽部２７は、取り付け部２６に対し左側に回動している際に、その幅方向基端部（後述のヒンジ片部２３１が設けられた側の端部）が右縁部１１ｃの内面に接触して後側に回動不能となることで、その幅方向が取り付け部２６の幅方向と略垂直な遮蔽状態となる。なお、遮蔽部２７を、遮蔽状態において、取り付け部２６に対し離反するように左側に回動することで、非遮蔽状態となり、非遮蔽状態において、取り付け部２６に対し近接するように前側に回動することで、遮蔽状態となるように、取り付け部２６に連結してもよい。
【００４５】
＜移動部における遮蔽部と取り付け部との連結態様の詳細＞
本実施形態では、移動部２３は、ヒンジ機構２３０を有し、このヒンジ機構２３０により、遮蔽部２７が取り付け部２６の後端部側において当該取り付け部２６に対し回動可能となるように、遮蔽部２７と取り付け部２６とが連結されている。ヒンジ機構２３０は、複数のヒンジ片部２３１と、複数のヒンジ片部２３２と、ピン２３３とを備える。
【００４６】
複数のヒンジ片部２３１は、遮蔽部２７の幅方向基端部（取り付け部２６と連結される側の端部）に対し、その長さ方向、つまり上下方向に沿って所定ピッチで設けられ、各ヒンジ片部２３１には、上下方向に沿った貫通孔２３４が設けられている。これら複数のヒンジ片部２３１は、遮蔽部２７の幅方向基端部に対し上下方向に沿って設けられ、上下方向に沿った長孔を備えた長尺部が、その長さ方向、つまり上下方向に沿って所定ピッチで櫛歯状に切り欠き加工されることで形成されたものである。なお、遮蔽部２７の上記長尺部は、当該遮蔽部２７と一体として構成されてもよいし別体として構成されてもよい。すなわち、適宜の治具を用いて遮蔽部２７の上記長尺部が上下方向に沿って所定ピッチで切り欠き加工されて切り抜かれることで、当該長尺部において上下方向に沿って所定ピッチで残った複数の部分が、それぞれヒンジ片部２３１となる。なお、上記のような切り欠き加工を行うことで複数のヒンジ片部２３１を配置するのではなく、完成品である複数のヒンジ片部２３１を取り付けることで配置してもよい。
【００４７】
複数のヒンジ片部２３２は、取り付け部２６の後端部に対し、その長さ方向、つまり上下方向に沿って所定ピッチで設けられ、各ヒンジ片部２３２には、上下方向に沿った貫通孔２３５が設けられている。これら複数のヒンジ片部２３２は、取り付け部２６の後端部に対し上下方向に沿って設けられ、上下方向に沿った長孔を備えた長尺部が、上記ヒンジ片部２３１と同様に切り欠き加工されることで形成されたものである。なお、取り付け部２６の上記長尺部は、当該取り付け部２６と一体として構成されてもよいし別体として構成されてもよい。また、切り欠き加工を行うことで複数のヒンジ片部２３２を配置するのではなく、完成品である複数のヒンジ片部２３２を取り付けることで配置してもよい。
【００４８】
そして、ヒンジ片部２３１，２３２が互い違いに配置されて貫通孔２３４と貫通孔２３５とが接続されるように、遮蔽部２７と取り付け部２６とが接続された状態で、それらの一端側（例えば下端側）からピン２３３が貫通孔２３４，２３５にそれぞれ挿通されることで、複数のヒンジ片部２３１がピン２３３を回転支点として複数のヒンジ片部２３２に対し回動可能となるように、複数のヒンジ片部２３１と複数のヒンジ片部２３２とが連結されている（図６（ａ）（ｂ）参照）。
【００４９】
上記のように複数のヒンジ片部２３１と複数のヒンジ片部２３２とがピン２３３により連結され、複数のヒンジ片部２３１がピン２３３を回転支点として複数のヒンジ片部２３２に対し回動可能となっていることで、遮蔽部２７は、取り付け部２６の後端部側において、当該取り付け部２６に対し回動可能となっている。
【００５０】
すなわち、遮蔽部２７が遮蔽状態にあるときに、複数のヒンジ片部２３１がピン２３３を回転支点として複数のヒンジ片部２３２に対し前側に連動して回動することで、遮蔽部２７は、取り付け部２６の後端部側において、当該取り付け部２６に対し前側に回動して、非遮蔽状態となることが可能である。また、遮蔽部２７が非遮蔽状態にあるときに、複数のヒンジ片部２３１がピン２３３を回転支点として複数のヒンジ片部２３２に対し左側に連動して回動することで、遮蔽部２７は、取り付け部２６の後端部側において、当該取り付け部２６に対し左側に回動して、遮蔽状態となることが可能である。
【００５１】
なお、上記で説明したヒンジ機構２３０の構成及び動作は、あくまで一例であり、上記以外の構成及び動作であってもよい。
【００５２】
また、遮蔽部２７には、当該遮蔽部２７を非遮蔽状態で係止するための係止部２７１が設けられている。係止部２７１は、上記ヒンジ片部２３１の外周面から上下方向に沿って突出した突条部として形成されている。そして、係止部２７１は、遮蔽部２７が取り付け部２６に対し前側に回動して非遮蔽状態となったときに、上記取り付け部２６の後端部の右側で係止されることで、遮蔽部２７の左側への回動を抑制して、当該遮蔽部２７を非遮蔽状態で係止することが可能である。なお、係止部２７１は、上記のようなヒンジ片部２３１の外周面から上下方向に沿って突出した突条部に限定されるものではなく、遮蔽部２７を非遮蔽状態で係止可能なものであれば、どのようなものであってもよい。また、遮蔽部２７を非遮蔽状態で係止するための係止部を、遮蔽部２７に代えて又は加えて、取り付け部２６に設けてもよい。しかし、遮蔽部２７及び取り付け部２６の少なくとも一方に、遮蔽部２７を非遮蔽状態で係止するための係止部を、必ず設けなければならないわけではない。
【００５３】
なお、上記で説明した移動部２３の構成及び動作は、あくまで一例であり、上記以外の構成及び動作であってもよい。
【００５４】
＜本実施形態による効果＞
以上説明したように、本実施形態では、縦ガイド部２１の上端から所定長さ分を非移動部２２で構成し、非移動部２２の下方を移動部２３で構成している。そして、スラット４により日射や視線等の遮蔽を行うときに、移動部２３の遮蔽部２７を遮蔽状態としておくことで、前述の隙間Ｓ１，Ｓ２を、非移動部２２の遮蔽部２５と移動部２３の遮蔽部２７とにより遮蔽することが可能となる。この結果、隙間Ｓ１，Ｓ２からの日射や視線等を遮蔽することが可能となる。一方、スラット４により遮蔽を行わないとき、つまりスラット４を引き上げて額縁１１の内側を開放するときには、遮蔽状態にある移動部２３を非移動部２２に対し移動させて非遮蔽状態とすることで、額縁１１の内側の開放スペースをより大きくすることが可能となるので、日射を効率よく取り込むことができる。
【００５５】
ここで、縦ガイド部の上端から所定長さ分についても移動部とする、つまり縦ガイド部の上端から下端に亘って移動部を構成する構造が考えられる。しかし、縦ガイド部の上端から所定長さ分は、複数段のスラット４が畳み込まれた状態でもスラット４等がある部分である。したがって、この部分を移動部とすると、複数段のスラット４を畳み込んで額縁１１の内側を開放するときに、移動部の遮蔽部を、畳み込まれた状態にあるスラット４等と干渉するために非遮蔽状態とすることができない場合があり得る。
【００５６】
これに対し、本実施形態では、上述のように、縦ガイド部２１の上端から所定長さ分、つまり複数段のスラット４が畳み込まれてもスラット４等がある部分を非移動部２２で構成し、非移動部２２の下方を移動部２３で構成している。これにより、複数段のスラット４を畳み込んで額縁１１の内側を開放するときに、移動部２３の遮蔽部２７を、畳み込まれた状態にあるスラット４等と干渉することなく非遮蔽状態とすることができる。
【００５７】
また、本実施形態では特に、遮蔽部２５が、その幅方向が取り付け部２４の幅方向と略垂直となるように、取り付け部２４に接続され、遮蔽部２７が、隙間Ｓ２の遮蔽を行う際には、その幅方向が取り付け部２６の幅方向と略垂直な遮蔽状態となり、遮蔽を行わない際には、その幅方向が取り付け部２６の幅方向と略平行な非遮蔽状態となるように、取り付け部２６に接続される。これにより、遮蔽部２５と遮蔽状態にある遮蔽部２７とにより隙間Ｓ１，Ｓ２を遮蔽することができる。また、遮蔽部２７を非遮蔽状態とすることで、縦ガイド部２１の見付寸法を小さくすることができるので、額縁１１の内側の開放スペースをより大きくすることができる。
【００５８】
また、本実施形態では特に、非移動部２２の長さが、複数段のスラット４の畳み代の長さと略同等となっている。これにより、複数段のスラット４を畳み込み状態として額縁１１の内側を開放するときに、移動部２３の遮蔽部２７を、畳み込み状態にあるスラット４等と干渉することなく非遮蔽状態とすることができる。
【００５９】
また、本実施形態では特に、遮蔽部２７が、取り付け部２６の後端部側において、当該取り付け部２６に対し回動可能に連結されている。これにより、遮蔽部２７を取り付け部２６に対し回動させることで、遮蔽部２７を遮蔽状態から非遮蔽状態に切り替えたりその逆を行うことができる。
【００６０】
また、本実施形態では特に、次のような効果を得ることができる。すなわち、遮蔽部２７が、遮蔽状態において、取り付け部２６に対し後側（取り付け部２６とは反対側）に回動することで、非遮蔽状態となる場合が考えられる。このような場合、遮蔽部２７の後側に額縁１１のリブや窓ガラス１０等の障害物があるときには、当該障害物が干渉して遮蔽部２７の回動の障害となる。また、遮蔽部２７を非遮蔽状態へと回動するときに、額縁１１からはみ出ることがある。このため、遮蔽部２７の後側にスペースが必要となる。これに対し、本実施形態では、遮蔽部２７が、遮蔽状態において、取り付け部２６に対し前側に（取り付け部２６に重なるように）回動することで、非遮蔽状態となる。これにより、遮蔽部２７の後側に額縁１１のリブや窓ガラス１０等の障害物があるときでも、当該障害物が干渉せず遮蔽部２７の回動の障害とならない。また、遮蔽部２７を非遮蔽状態へと回動するときに、額縁１１からはみ出ることもない。したがって、遮蔽部２７の後側にスペースを設ける必要がないので、省スペース化を図ることができる。
【００６１】
また、本実施形態では特に、遮蔽部２７が、当該遮蔽部２７を非遮蔽状態で係止する係止部２７１を備える。これにより、遮蔽部２７を非遮蔽状態で保持することができる。この結果、遮蔽を行わないときに、遮蔽部２７が意図せず回動して遮蔽状態となり、額縁１１の内側の開放スペースが小さくなってしまうのを抑制することができる。
【００６２】
また、本実施形態では特に、遮蔽部２５が、当該遮蔽部２５と遮蔽部２７との間の接続部２８を覆うための蓋部２５１を備える。これにより、接続部２８における遮蔽性を向上することができ、当該接続部２８からの日射の入り（光の漏れ）を抑制することができる。
【００６３】
また、本実施形態では特に、次のような効果を得ることができる。すなわち、例えば、遮蔽部２５，２７が、遮光性が低い材料により構成される場合、遮蔽部２５，２７により上記隙間Ｓ１，Ｓ２を遮蔽しても、日射がこれら遮蔽部２５，２７を透過して入る可能性がある。本実施形態では、遮蔽部２５，２７が遮光材料で構成される。これにより、遮蔽部２５，２７における遮光性を向上することができ、上記隙間Ｓ１，Ｓ２からの日射の入り（光の漏れ）を防止することができる。
【００６４】
また、本実施形態では特に、移動部２３が、遮蔽部２７が取り付け部２６の後端部側において当該取り付け部２６に対し回動可能となるように、遮蔽部２７と取り付け部２６とを連結するヒンジ機構２３０を有する。これにより、遮蔽部２７を、ヒンジ機構２３０を回転支点として取り付け部２６に対し回動させることができ、遮蔽部２７の遮蔽状態と非遮蔽状態との切り替えを円滑に行うことができる。
【００６５】
また、本実施形態では特に、複数のヒンジ片部２３１がピン２３３を回転支点として複数のヒンジ片部２３２に対し回動可能となるように、複数のヒンジ片部２３１と複数のヒンジ片部２３２とが連結される。これにより、複数のヒンジ片部２３１を、ピン２３３を回転支点として複数のヒンジ片部２３２に対し連動して回動させることで、遮蔽部２７を、ヒンジ機構２３０を回転支点として取り付け部２６に対し回動させることができる。
【００６６】
また、本実施形態では特に、複数のヒンジ片部２３１と複数のヒンジ片部２３２とは、切り欠き加工により形成される。これにより、遮蔽部２７の幅方向基端部に対し複数のヒンジ片部２３１を連続形成することができ、取り付け部２６の後端部に対し複数のヒンジ片部２３３を連続形成することができる。
【００６７】
＜変形例等＞
なお、本発明は、上記実施形態に限られるものではなく、その趣旨及び技術的思想を逸脱しない範囲内で種々の変形が可能である。以下、そのような変形例を順を追って説明する。なお、以下で説明する各変形例において、上記実施形態と同等の部分には同一の符号を付し、その説明を適宜省略又は簡素化する。
【００６８】
（１）遮蔽部に遮光板取り付け部を設ける場合
上記実施形態では、遮蔽部２７を遮光材料で構成することで、遮蔽部２７における遮光性を確保していたが、これに限定されるものではない。例えば、遮蔽部２７に遮光板取り付け部を設け、この遮光板取り付け部に遮光板を取り付けることで、遮蔽部２７における遮光性を向上させてもよい。
【００６９】
図１０に示すように、本変形例では、移動部２３の遮蔽部２７が、遮光性が低い材料（例えばプラスチック等の樹脂）で構成され、その遮蔽部２７の前面には、遮光材料（例えばアルミニウム等の金属）で構成された遮光板３０を取り付け可能な遮光板取り付け部２７２が設けられている。なお、遮蔽部２７の後面や内部に遮光板取り付け部を設けてもよい。
【００７０】
遮光板取り付け部２７２は、遮蔽部２７の厚み方向に凹み、上下方向に沿って所定幅を備えた溝部として形成されている。この遮光板取り付け部２７２の左端部・右端部には、遮光板３０の左端部・右端部と係合可能な係合部２７３，２７４がそれぞれ設けられている。そして、遮光板３０は、その左端部及び右端部が係合部２７３，２７４にそれぞれ係合するように、遮光板取り付け部２７２に取り付けられる。なお、遮光板を遮光板取り付け部に接着したりねじ固定する等により取り付けてもよい。
【００７１】
また、特に図示はしないが、非移動部２２の遮蔽部２５を遮光性が低い材料（例えばプラスチック等の樹脂）で構成し、その遮蔽部２５の前面に遮光板取り付け部を設け、この遮光板取り付け部に遮光板を取り付けてもよい。なお、遮蔽部２５の後面や内部に遮光板取り付け部を設けてもよい。
【００７２】
本変形例によれば、遮蔽部２７における遮光性を向上することができ、上記隙間Ｓ２からの日射の入り（光の漏れ）を防止することができる。
【００７３】
（２）遮蔽部と取り付け部とをリンク機構で連結する場合
上記実施形態では、遮蔽部２７と取り付け部２６とをヒンジ機構２３０により連結していたが、これに限定されるものではない。例えば、遮蔽部２７と取り付け部２６とをリンク機構により連結してもよい。
【００７４】
図１１（ａ）（ｂ）（ｃ）に示すように、本変形例では、移動部２３は、リンク機構３３０を有し、このリンク機構３３０により、遮蔽部２７が取り付け部２６の後端部側において当該取り付け部２６に対し回動可能となるように、遮蔽部２７と取り付け部２６とが連結されている。リンク機構３３０は、２つの連結部材３３２，３３３と、リンク部材３３１とを有する。
【００７５】
連結部材３３２は、遮蔽部２７の適宜の部位に設けられた溝部２７５に嵌合しつつ当該溝部２７５を摺動可能となっている。連結部材３３３は、取り付け部２６の適宜の部位に設けられた溝部２６５に嵌合しつつ当該溝部２６５を摺動可能となっている。リンク部材３３１は、その一端側が連結部材３３２に連結され、その他端側が連結部材３３３に連結されることで、連結部材３３２と連結部材３３３とを連結している。
【００７６】
上記のように連結部材３３２と連結部材３３３とがリンク部材３３１により連結され、連結部材３３２が溝部２７５を摺動可能となり、連結部材３３３が溝部２６５を摺動可能となっていることで、遮蔽部２７は、取り付け部２６の後端部側において、当該取り付け部２６に対し回動可能となっている。
【００７７】
すなわち、遮蔽部２７が遮蔽状態にあるときには、連結部材３３２，３３３が溝部２７５，２６５の適宜の位置（例えば一端）に位置するように、リンク部材３３１が位置している（図１１（ａ）参照）。そして、遮蔽部２７が遮蔽状態にあるときに、連結部材３３２，３３３が溝部２７５，２６５を適宜の方向（例えば他端側）に摺動するように、リンク部材３３１が移動することで、遮蔽部２７は、取り付け部２６の後端部側において、当該取り付け部２６に対し前側に回動して、非遮蔽状態となることが可能である（図１１（ｂ）（ｃ）参照）。
【００７８】
なお、上記で説明したリンク機構３３０の構成及び動作は、あくまで一例であり、上記以外の構成及び動作であってもよい。例えば、溝部２７５，２６５の形状や、連結部材３３２、３３３の溝部２７５，２６５での位置及び移動方向、リンク部材３３１の移動態様等は、図１１（ａ）〜（ｃ）に示す態様に限定されるものではなく、他の態様であってもよい。
【００７９】
本変形例によれば、遮蔽部２７を、リンク機構３３０を介して取り付け部２６に対し回動させることができ、遮蔽部２７の遮蔽状態と非遮蔽状態との切り替えを円滑に行うことができる。
【００８０】
（３）遮蔽部と取り付け部とを伸縮機構で接続する場合
上記実施形態では、遮蔽部２７と取り付け部２６とをヒンジ機構２３０により連結していたが、これに限定されるものではない。例えば、遮蔽部２７と取り付け部２６とを伸縮機構により連結してもよい。
【００８１】
図１２（ａ）（ｂ）に示すように、本変形例では、移動部２３は、伸縮機構４３０を有し、この伸縮機構４３０により、遮蔽部２７が取り付け部２６に対し移動可能となるように、遮蔽部２７と取り付け部２６とが連結されている。伸縮機構４３０は、伸縮可能な蛇腹部材として形成されている。
【００８２】
すなわち、遮蔽部２７が遮蔽状態にあるときには、伸縮機構４３０が縮んだ状態となっている（図１２（ａ）参照）。そして、遮蔽部２７が遮蔽状態にあるときに、伸縮機構４３０が伸びることで、遮蔽部２７は、取り付け部２６に対し近接するように移動して、非遮蔽状態となることが可能である（図１２（ｂ）参照）。
【００８３】
なお、上記で説明した伸縮機構４３０の構成及び動作は、あくまで一例であり、上記以外の構成及び動作であってもよい。例えば、伸縮機構を取り付け部２６及び遮蔽部２７の少なくとも一方と一体的に構成してもよい。若しくは、遮蔽部２７自体を伸縮機構として構成してもよい。
【００８４】
本変形例によれば、遮蔽部２７を、伸縮機構４３０を介して取り付け部２６に対し移動させることができ、遮蔽部２７の遮蔽状態と非遮蔽状態との切り替えを円滑に行うことができる。
【００８５】
（４）取り付け部に対し２つの遮蔽部を回動可能に連結する場合
上記実施形態では、取り付け部２６に対し１つの遮蔽部２７を回動可能に連結していたが、これに限定されるものではない。例えば、取り付け部２６に対し２つの遮蔽部を回動可能に連結してもよい。
【００８６】
図１３（ａ）（ｂ）に示すように、本変形例では、右縁部１１ｃの内面に取り付けられる取り付け部２６′（第２取り付け部、第３取り付け部）には、２つの遮蔽部２７ａ，２７ｂ（第２遮蔽部、第３遮蔽部）が当該取り付け部２６′に対し回動可能に連結されている。
【００８７】
取り付け部２６′は、遮蔽状態にある遮蔽部２７ａがスラット４と窓ガラス１０との間（スラット４よりも室外側）において前述の隙間Ｓ２を遮蔽可能となり、遮蔽状態にある遮蔽部２７ｂがスラット４の窓ガラス１０とは反対側（スラット４よりも室内側）において前述の隙間Ｓ２を遮蔽可能となるように、取り付けられる。なお、取り付け部２６′を、遮蔽部２７ａと遮蔽部２７ｂとの位置関係が反対となるように、取り付けてもよい。
【００８８】
遮蔽部２７ａ及び遮蔽部２７ｂは、上記隙間Ｓ２の遮蔽を行う際には、その幅方向が取り付け部２６′の幅方向と略垂直な遮蔽状態（図１３（ａ）の状態）となり、遮蔽を行わない際には、その幅方向が取り付け部２６′の幅方向と略平行な非遮蔽状態（図１３（ｂ）の状態）となるように、それぞれ、取り付け部２６′の後端部側及び前端部（幅方向端部）側において、当該取り付け部２６′に対し回動可能に連結されている。したがって、移動部２３′は、遮蔽部２７ａ，２７ｂがそれぞれ遮蔽状態にあるときには、全体として平面視略コの字状となる。
【００８９】
具体的には、遮蔽部２７ａは、遮蔽状態において、取り付け部２６′に対し近接するように前側（取り付け部２６′側）に回動することで、非遮蔽状態となり、非遮蔽状態において、取り付け部２６′に対し離反するように左側に回動することで、遮蔽状態となるように、取り付け部２６′に連結されている。また、遮蔽部２７ｂは、遮蔽状態において、取り付け部２６′に対し近接するように後側（取り付け部２６′側）に回動することで、非遮蔽状態となり、非遮蔽状態において、取り付け部２６′に対し離反するように左側に回動することで、遮蔽状態となるように、取り付け部２６′に連結されている。
【００９０】
また、本変形例では、遮蔽部２７ａ，２７ｂは、各々が遮蔽状態にあるときに前述の隙間Ｓ２を遮蔽可能で、かつ互いが非遮蔽状態にあるときに互いが重なり合わないような幅方向寸法となっている。この例では、遮蔽部２７ａの幅方向寸法が遮蔽部２７ｂの幅方向寸法よりも長くなり、遮蔽部２７ａの幅方向寸法と遮蔽部２７ｂの幅方向寸法との合計が、取り付け部２６′の幅方向寸法と略同等となっている。なお、遮蔽部２７ａ，２７ｂの幅方向寸法の関係は、各々が遮蔽状態にあるときに前述の隙間Ｓ２を遮蔽可能で、かつ互いが非遮蔽状態にあるときに互いが重なり合わないような幅方向寸法となる関係であれば、特に限定されるものではなく、例えば互いに略同一の幅方向寸法となる関係であってもよい。
【００９１】
また、例えば、図１４に示すように、遮蔽部２７ａ，２７ｂを、各々が遮蔽状態にあるときに前述の隙間Ｓ２を遮蔽可能で、かつ互いが非遮蔽状態にあるときに互いが重なり合うような幅方向寸法としてもよい。図１４に示す例では、遮蔽部２７ａの幅方向寸法と遮蔽部２７ｂの幅方向寸法とが、それぞれ、取り付け部２６′の幅方向寸法と略同等となっている。
【００９２】
本変形例においても、上記実施形態と同様の効果を得ることができる。
【００９３】
（５）ガイドレールを下縁部に設置する場合
上記実施形態では、左縁部１１ｂ及び右縁部１１ｃに対しそれぞれ縦ガイド部２１，２１を設置していたが、これに限定されるものではない。例えば、下縁部１１ｄに対し横ガイド部を設置してもよい。
【００９４】
図１５（ａ）（ｂ）に示すように、本変形例では、ガイドレール２０は、下縁部１１ｄに設置され、スラット４の下端部をガイド可能な横ガイド部４１により構成されている。
【００９５】
横ガイド部４１は、非移動部４２と移動部４３（第１移動部、第２移動部）とを有し、左端（一端）から所定長さ分が非移動部４２により構成され、非移動部４３の右方（非移動部以外の部分）が移動部４３により構成されている。すなわち、非移動部４２は、下縁部１１ｄのうち左端から所定長さ分に配置され、移動部４３は、下縁部１１ｄのうち非移動部４２の右方に配置される。なお、横ガイド部において、右端から所定長さ分を非移動部４２により構成し、非移動部４３の左方を移動部４３により構成してもよい。
【００９６】
非移動部４２は、取り付け部４４（第１取り付け部）と、取り付け部４４に対し移動不能に接続された遮蔽部４５（第１遮蔽部）とを有する。
【００９７】
取り付け部４４は、下縁部１１ｄの内面のうち左端から所定長さ分に取り付けられる。遮蔽部４５は、所定高さで吊下支持されたスラット４の下端のボトムレール５と、下縁部１１ｄの内面のうち取り付け部４４が取り付けられる部分との隙間を、遮蔽可能となっている。
【００９８】
移動部４３は、取り付け部４６（第２取り付け部、第３取り付け部）と、取り付け部４６に対し回動可能に連結された遮蔽部４７（第２遮蔽部、第３遮蔽部）とを有する。
【００９９】
取り付け部４６は、下縁部１１ｄの内面のうち上記非移動部４２の取り付け部４４の右方に取り付けられる。遮蔽部４７は、所定高さで吊下支持されたスラット４の下端のボトムレール５と、下縁部１１ｄの内面のうち取り付け部４６が取り付けられる部分との隙間を、遮蔽可能となっている。すなわち、遮蔽部４７は、上記隙間の遮蔽を行う際には、その幅方向が取り付け部４６の幅方向と略垂直な遮蔽状態（図１５（ａ）の状態）となり、遮蔽を行わない際には、その幅方向が取り付け部４６の幅方向と略平行な非遮蔽状態（図１５（ｂ）の状態）となるように、取り付け部４６の後端部（幅方向端部）側において、取り付け部４６に対し移動可能に連結されている。
【０１００】
具体的には、遮蔽部４７は、遮蔽状態において、取り付け部４６に対し近接するように前側（取り付け部４６側）に回動することで、非遮蔽状態となり、非遮蔽状態において、取り付け部４６に対し離反するように上側に回動することで、遮蔽状態となるように、取り付け部４６に連結されている。
【０１０１】
本変形例においても、上記実施形態と同様の効果を得ることができる。
【０１０２】
（６）ガイドレールを左端部、右端部、下縁部に設置する場合
上記実施形態では、左縁部１１ｂ及び右縁部１１ｃに対し縦ガイド部２１，２１をそれぞれ設置していたが、これに限定されるものではない。例えば、縦ガイド部２１，２１に加えて、下縁部１１ｄに対し横ガイド部を設置してもよい。
【０１０３】
図１６（ａ）（ｂ）に示すように、本変形例では、ガイドレール２０は、左縁部１１ｂ及び右縁部１１ｃに対しそれぞれ設置された前述の縦ガイド部２１，２１と、下縁部１１ｄに設置され、スラット４の下端部をガイド可能な横ガイド部５１により構成されている。
【０１０４】
横ガイド部５１は、移動部５３（第２移動部）を有する。移動部５３は、取り付け部５６（第３取り付け部）と、取り付け部５６に対し回動可能に連結された遮蔽部５７（第３遮蔽部）とを有する。
【０１０５】
取り付け部５６は、下縁部１１ｄの内面に取り付けられる。遮蔽部５７は、所定高さで吊下支持されたスラット４の下端のボトムレール５と、下縁部１１ｄの内面のうち取り付け部５６が取り付けられる部分との隙間を、遮蔽可能となっている。すなわち、遮蔽部５７は、上記隙間の遮蔽を行う際には、その幅方向が取り付け部５６の幅方向と略垂直な遮蔽状態（図１６（ａ）の状態）となり、遮蔽を行わない際には、その幅方向が取り付け部５６の幅方向と略平行な非遮蔽状態（図１６（ｂ）の状態）となるように、取り付け部５６の後端部（幅方向端部）側において、取り付け部５６に対し移動可能に連結されている。
【０１０６】
具体的には、遮蔽部５７は、遮蔽状態において、取り付け部５６に対し近接するように前側（取り付け部５６側）に回動することで、非遮蔽状態となり、非遮蔽状態において、取り付け部５６に対し離反するように上側に回動することで、遮蔽状態となるように、取り付け部５６に連結されている。
【０１０７】
本変形例においても、上記実施形態と同様の効果を得ることができる。なお、本変形例において、下縁部１１ｄに設置する横ガイド部の左端及び右端を非移動部とし、これら２つの非移動部の間を移動部としてもよい。この場合、横ガイド部における縦ガイド部２１，２１との干渉を抑制することができる。
【０１０８】
（７）２つの遮蔽部を近接させ、かつ一方を自動回動可能に設ける場合
上記第４の変形例では、取り付け部２６′に対し２つの遮蔽部２７ａ，２７ｂを前後方向に離間させて設けていたが、これに限定されるものではない。例えば、横型ブラインド１がロールスクリーンに置き換わった場合に、遮蔽部材として機能するスクリーンの前後方向移動範囲を挟む間隔で２つの遮蔽部を設けてもよい。また、上記実施形態又は各変形例で示した遮蔽部はいずれも操作者が手動により開閉動作を行っていたが、これに限定されるものではない。例えば、上記２つの遮蔽部のうち少なくとも一方を自動的に回動可能に設けてもよい。
【０１０９】
図１７〜図１９に示すように、左縁部１１ｂの内面に取り付けられる取り付け部２６″（第２取り付け部、第３取り付け部）には、２つの遮蔽部２７ｃ，２７ｄ（第２遮蔽部、第３遮蔽部）が当該取り付け部２６″に対し回動可能に連結されている。本変形例では、これら２つの遮蔽部２７ｃ，２７ｄが、上述したロールスクリーンタイプのスクリーン（遮蔽部材）の前後方向の移動範囲Ｍを挟む並列な配置で、さらにそれぞれが同じ前方へ回動可能に設けられている。
【０１１０】
ここで、ロールスクリーンは、上記ヘッドボックス２の内部に回転可能に設けられた巻取軸にスクリーンＲ（例えば布材）がロール状に巻回されており、その巻取軸によるスクリーンＲの巻き取り、引き出しによって当該スクリーンＲ全体を上下方向に昇降させるものである（特に図示せず）。そして、巻取軸によるスクリーンＲの巻き取り量によってそのロールの外周径が変化するため、それに伴いスクリーンＲの前後方向の垂下位置が変化する。本変形例では、スクリーンＲが最も引き出された際に最も前方に位置し、スクリーンＲが最も巻き取られた際に最も後方に位置するよう設置されているとする。上記２つの遮蔽部２７ｃ，２７ｄは、このスクリーンＲの前後方向の移動範囲Ｍに近接して挟む間隔で設けられている（図１９（ａ）、図１９（ｂ）参照）。
【０１１１】
以上の構成により、移動部２３において、２つの遮蔽部２７ｃ，２７ｄがそれぞれスクリーンＲと左縁部１１ｂとの隙間を前後方向で挟むように設けられる。このため、後方側の遮蔽部２７ｃとスクリーンＲの間の前後方向における隙間から漏光する反射光や輻射光に対しても、前方側の遮蔽部２７ｄによってさらなる日射の遮蔽が可能となる。また、２つの遮蔽部２７ｃ，２７ｄがそれぞれ互いにスクリーンＲの上下方向の垂下長の変化に伴う当該スクリーンＲの前後方向の移動範囲Ｍを挟む並列な配置で設けられることにより、各遮蔽部２７ｃ，２７ｄはどのような垂下長の状態にあるスクリーンＲにも接触することなく最も近接できる位置で上記反射光や輻射光をより確実に遮光できる。また、２つの遮蔽部２７ｃ，２７ｄが同じ方向へ回動可能に設けられていることで、両方とも取り付け部２６″側に回動させて非遮蔽状態とした際の前後方向の全体幅を小さくして設置領域の省スペース化を図ることができる。
【０１１２】
また、本変形例では、前方側の遮蔽部２７ｄが備える遮蔽部側ヒンジ片部２３２ｄの下端の端面と、取り付け部２６″が備える取付部側ヒンジ片部２３１ｄの上端の端面がそれぞれピン２３３の軸方向に対して所定の傾斜角（立体角）をなす平面２３６，２３７で形成されている。そしてこれら傾斜平面２３６，２３７は、遮蔽部２７ｄが非遮蔽状態である場合に相互に平行となる傾斜角度で形成されている。なお、図１７中においては、図示の煩雑を避けるために、ピン２３３の図示を省略している。
【０１１３】
また、遮蔽部２７ｄには、当該遮蔽部２７ｄを遮蔽状態で係止するための係止部２７８が設けられている。係止部２７８は、上記遮蔽部側ヒンジ片部２３２ｄの外周面から上下方向に沿って突出した突条部として形成されている。そして、係止部２７８は、遮蔽部２７ｄが取り付け部２６″に対し後方側に回動して遮蔽状態となったときに、上記取り付け部２６″の端部で係止されることで、遮蔽部２７ｄの前方側への回動を抑制して、当該遮蔽部２７ｄを遮蔽状態で係止することが可能である。なお、係止部２７８は、上記のような遮蔽部側ヒンジ片部２３２ｄの外周面から上下方向に沿って突出した突条部に限定されるものではなく、遮蔽部２７ｄを遮蔽状態で係止可能なものであれば、どのようなものであってもよい。例えば、遮蔽部２７ｄの上方側端部に当接するよう別途ブラケットを設け、そのブラケットの下面に当該遮蔽部２７ｄを遮蔽状態に維持可能に係止する突起を設けるようにしてもよい（特に図示せず）。
【０１１４】
以上のように構成することにより、遮蔽部２７ｄの重量の一部は遮蔽部側ヒンジ片部２３２ｄの下端の傾斜平面２３６に付加され、これを取付部側ヒンジ片部２３１ｄの上端の傾斜平面２３７が受けることになる。そしてこれら２つの傾斜平面２３６，２３７がそれぞれピン２３３の軸方向に対して所定の傾斜角（立体角）で形成されていることにより、取り付け部２６″に対する遮蔽部２７ｄの回動角の大きさによっては取付部側ヒンジ片部２３１ｄによる遮蔽部側ヒンジ片部２３２ｄの支持が不安定となる。このとき遮蔽部２７ｄがピン２３３の軸周りに何ら拘束されていない場合には、遮蔽部２７ｄ全体の自重によって軸周りに分力が生じ、当該遮蔽部２７ｄは上記支持が安定する方向へ自動的に回動するよう動作する。この挙動を利用して各傾斜平面２３６，２３７の傾斜角を適宜設定することにより、遮蔽部２７ｄを係止等の拘束から解放した際の自動回動動作を可能とし、遮蔽状態と非遮蔽状態との間の自動的な切り替えが可能となる。
【０１１５】
本変形例では、上述したように遮蔽部２７ｄが非遮蔽状態である場合に２つの傾斜平面２３６，２３７が相互に平行となる傾斜角度で形成されている。このため、図２０（ａ）に示すように、遮蔽部２７ｄが遮蔽状態（開状態）である場合には、遮蔽部２７ｄ全体が持ち上がって２つの傾斜平面２３６，２３７が相互に縁どうしで線接触して不安定な支持となる。また、図２０（ｂ）に示すように、遮蔽部２７ｄが非遮蔽状態（閉状態）である場合に、各傾斜平面２３６，２３７どうしが面接触して取付部側ヒンジ片部２３１ｄによる遮蔽部側ヒンジ片部２３２ｄの支持が最も安定する。このため、例えば遮蔽状態にある遮蔽部２７ｄを上述した係止部２７８による係止等の拘束から解放した際には、遮蔽部２７ｄ全体がその自重により降下するとともに各傾斜平面２３６，２３７どうしの支持が安定する方向、すなわち非遮蔽状態となる回動方向に自動的に回動させることができる。
【０１１６】
本変形例では、上述したように、２つの遮蔽部２７ｃ，２７ｄがそれぞれスクリーンＲと左縁部１１ｂとの隙間を前後方向で挟むように設けられており、特に前方側の遮蔽部２７ｄはスクリーンＲを最も引き出した（最も垂下長を長くした）際に当該スクリーンＲに近接する位置に設けている。このため、操作者がスクリーンＲを巻き取って引き上げた際には、当該スクリーンＲの下端に設けたウェイトバー（上記ボトムレール５と同等）が遮蔽部２７ｄの下端に接触し、その接触による勢いで係止部２７８による軸周りの拘束から解放させることができる。これにより、操作者はスクリーンＲの巻き取り上昇操作を行うだけで、遮蔽状態にある遮蔽部２７ｄを非遮蔽状態へ自動的に回動動作させることができる。
【０１１７】
また、本変形例の遮蔽部２７ｄの外周側端部には、他の部分と比較して厚み寸法を大きくしたウェイト部２７９を設けている。このように外周端部に位置するウェイト部２７９において質量が高くなっていることにより、遮蔽部２７ｄの軸周りの慣性モーメントが大きくなり、上記の自重回転動作を円滑に行わせることができる。また、この遮蔽部２７ｄがこのウェイト部２７９を備えていることにより、その厚み寸法が大きい分だけ上記ウェイトバー（上記ボトムレール５と同等）に接触しやすくなる。このため、上述した係止部２７８による係止からの解放と自動回動動作の開始をより確実に行うことができる。またウェイト部２７９の厚み寸法が大きいことにより、後方側の遮蔽部２７ｃとスクリーンＲの間の前後方向における隙間から漏光する反射光や輻射光に対してより確実に遮光できる。
【０１１８】
なお、上方に取付部側ヒンジ片部２３１ｄが位置し、下方に遮蔽部側ヒンジ片部２３２ｄが位置する組み合わせでは、遮蔽部２７ｄの自重回転動作に伴う昇降動作が可能なように各ヒンジ片部２３１ｄ，２３２ｄの間に適宜の隙間を設けるようにする。また、本変形例では、移動部２３において近接した間隔の２つの遮蔽部２７ｃ、２７ｄを設け、そのうちの遮蔽部２７ｄに自重回動機能を持たせる例を示したが、これに限定されるものではない。例えば、非移動部２２においても近接した間隔の２つの遮蔽部２５を設けてもよいし、遮蔽部２７ｃに自重回動機能を持たせてもよい。
【０１１９】
また、上記変形例では各ヒンジ片部２３１ｄ，２３２ｄどうしの支持端面をそれぞれ平面状に形成したが、これに限定されるものではない。例えば、上記図２０に対応する図２１に示すように、各ヒンジ片部２３１ｄ，２３２ｄどうしの支持端面をそれぞれピン２３３の中心軸に対して螺旋状の曲面２３６ａ，２３７ａで相互に平行に形成してもよい。
【０１２０】
このように、各ヒンジ片部２３１ｄ，２３２ｄどうしの支持端面を適宜の傾斜角の螺旋状の曲面２３６ａ，２３７ａ（互いに平行）で形成することにより、遮蔽部２７ｄには（その回動角にかかわらず）常にその自重によってその回動角を開くか閉じるかのいずれかの方向へ自動的に回動させる分力が生じる。このため、上記傾斜角の正負の設定によって、例えば遮蔽部２７ｄを遮蔽状態から非遮蔽状態となる回動方向、もしくはその逆の回動方向に自動的に回動させることができる。
【０１２１】
（８）その他
上記実施形態では、左縁部１１ｂ及び右縁部１１Ｃに設置した縦ガイド部２１の上端を非移動部２２により構成し、非移動部２２の下方を移動部２３により構成していたが、これに限定されるものではない。例えば、左縁部１１ｂ及び右縁部１１Ｃに対し、移動部により構成される（非移動部を備えない）縦ガイド部を設置してもよい。この場合、移動部（第２移動部）の遮蔽部（第３移動部）は、遮蔽状態において、取り付け部（第３移動部）に対し近接するように前側（取り付け部側）に回動することで、非遮蔽状態となり、非遮蔽状態において、取り付け部に対し離反するように左側に回動することで、遮蔽状態となるように、取り付け部に連結されることが好ましい。この場合にも、上記実施形態と同様の効果を得ることができる。
【０１２２】
なお、以上既に述べた以外にも、上記実施形態や各変形例による手法を適宜組み合わせて利用してもよい。
【０１２３】
その他、一々例示はしないが、本発明は、その趣旨を逸脱しない範囲内において、種々の変更が加えられて実施されるものである。
【符号の説明】
【０１２４】
１                横型ブラインド
４                スラット（遮蔽部材）
１１              額縁（枠体）
１１ａ            上縁部（上枠部）
２０              ガイドレール
２１              縦ガイド部
２２              非移動部
２３              移動部
２４              取り付け部（第１取り付け部）
２５              遮蔽部（第１遮蔽部）
２６              取り付け部（第２取り付け部、第３取り付け部）
２６′，２６″    取り付け部（第２取り付け部、第３取り付け部）
２７              遮蔽部（第２遮蔽部、第３遮蔽部）
２７ａ，ｂ、ｃ、ｄ  遮蔽部（第２遮蔽部、第３遮蔽部）
２８              接続部
３０              遮光板
４２              非移動部
４３              移動部（第１移動部、第２移動部）
４４              取り付け部（第１取り付け部）
４５              遮蔽部（第１遮蔽部）
４６              取り付け部（第２取り付け部、第３取り付け部）
４７              遮蔽部（第２遮蔽部、第３遮蔽部）
５３              移動部（第２移動部）
５６              取り付け部（第３取り付け部）
５７              遮蔽部（第３遮蔽部）
２３１ｄ          取付部側ヒンジ片部
２３２ｄ          遮蔽部側ヒンジ片部
２３６，２３７    傾斜平面（端面）
２３６ａ，２３７ａ  螺旋曲面（端面）
２５１            蓋部
２７１，２７８    係止部
Ｒ                スクリーン（遮蔽部材）
Ｓ１              隙間
Ｓ２              隙間
【図１】
0006367066.tif 000002
【図２】
0006367066.tif 000003
【図３】
0006367066.tif 000004
【図４】
0006367066.tif 000005
【図５】
0006367066.tif 000006
【図６】
0006367066.tif 000007
【図７】
0006367066.tif 000008
【図８】
0006367066.tif 000009
【図９】
0006367066.tif 000010
【図１０】
0006367066.tif 000011
【図１１】
0006367066.tif 000012
【図１２】
0006367066.tif 000013
【図１３】
0006367066.tif 000014
【図１４】
0006367066.tif 000015
【図１５】
0006367066.tif 000016
【図１６】
0006367066.tif 000017
【図１７】
0006367066.tif 000018
【図１８】
0006367066.tif 000019
【図１９】
0006367066.tif 000020
【図２０】
0006367066.tif 000021
【図２１】
0006367066.tif 000022